(57)【要約】【課題】  基礎床面に強固に接着固定することができ、しかも、位置合わせが容易で、かつ、位置ずれが起こりにくい、床構成材用支持具を提供する。【解決手段】  支持具３は、基礎床面１に接着剤４により固着される固着部５と、根太２ａを支持する支持部６とを備える。ここで、固着部５は、基礎床面１と対面する固着部本体５ａと、延設部５ｃと、突出部５ｈとを備える。延設部５ｃは、固着部本体５ａとで基礎床面１側に開口する凹部５ｂを形成するように、固着部本体５ａから延設されて基礎床面１に当接可能となっている。突出部５ｈは、固着部本体５ａから凹部５ｂ内に突出する。この突出部５ｈには、接着剤４が硬化した接着剤硬化物４ａと離間方向において掛かり合う掛合部５ｆを備える。また、固着部本体５ａには、外部から凹部５ｂ内の空間５ｄに通ずる接着剤充填口５ｅが設けられる。【選択図】  図６
2008174999.tif 000002
【特許請求の範囲】
【請求項１】
建造物の基礎床面に接着固定されて、床構成材を支持する、支持具であって、
前記基礎床面に接着剤により固着される固着部と、前記床構成材を支持する支持部とを備え、
前記固着部は、前記基礎床面と対面する固着部本体と、前記固着部本体とで前記基礎床面側に開口する凹部を形成するように、前記固着部本体から延設されて前記基礎床面に当接可能な延設部と、その固着部自身が前記基礎床面から離間するのを防止すべく、前記凹部内に設けられて、前記接着剤が硬化した接着剤硬化物と前記離間方向において掛かり合う掛合部とを備え、
前記固着部本体には、前記凹部内の空間に前記接着剤を充填すべく、外部から前記空間に通ずる接着剤充填口が設けられてなる、床構成材用支持具。
【請求項２】
前記延設部は、前記凹部の周囲全周を形成するように設けられている、請求項１に記載の、床構成材用支持具。
【請求項３】
前記固着部本体には、前記接着剤充填口とは別に、前記空間に充填された前記接着剤が前記空間からはみ出すのを許容する、孔が設けられている、請求項１または２に記載の、床構成材用支持具。
【請求項４】
前記固着部は、前記固着部本体から前記凹部内に突出して前記基礎床面に当接可能な突出部を一つまたは複数備え、その突出部の少なくとも一つは、前記接着剤充填口から前記空間に充填される前記接着剤が前記孔を通るのを制限すべく、前記孔の近傍であって前記接着剤充填口側に形成されている、請求項３に記載の、床構成材用支持具。
【請求項５】
前記固着部は、前記固着部本体から前記凹部内に突出して前記基礎床面に当接可能な突出部を備え、その突出部に、前記掛合部が設けられている、請求項１ないし３のいずれか１項に記載の、床構成材用支持具。
【請求項６】
前記延設部に、前記空間側に突き出るようにして前記掛合部が設けられている、請求項１ないし４のいずれか１項に記載の、床構成材用支持具。
【請求項７】
前記接着剤充填口は、前記空間の中央に通ずるように形成されている、請求項１ないし６のいずれか１項に記載の、床構成材用支持具。
【発明の詳細な説明】
【技術分野】
【０００１】
この発明は、建造物の基礎床面に接着固定されて、床構成材を支持する、床構成材用支持具に関するものである。
【背景技術】
【０００２】
従来、基礎床面に接着固定されて、床構成材としての支持脚を支持する支持具があった（例えば、特許文献１参照）。図１１に示すように、この支持具３０は、床板２１を根太材２２および受け部材２３を介して支持する支持脚２４を、基礎床面２５上に支持するものであって、基礎床面２５に接着される固着部３１と、支持脚２４が挿入されて固定される保持筒３２とからなっていた。そして、この支持具３０の固着部３１には、複数の孔３１ａ、３１ａが穿設されていた。そこで、この支持具３０を基礎床面２５に接着固定するには、基礎床面２５に接着剤２６を塗布し、その塗布された接着剤２６に固着部３１を当接させるようにして、その固着部３１を基礎床面２５に接着していた。
【０００３】
【特許文献１】特開平１０−３１１１３２号公報
【発明の開示】
【発明が解決しようとする課題】
【０００４】
しかし、前記従来の支持具にあっては、予め基礎床面２５に接着剤２６を塗布し、その接着剤２６に固着部３１を当接させるため、位置合わせがやりにくかった。また、固着部３１の下面全面と基礎床面２５との間に、接着剤２６が介在することにより位置ずれしやすく、接着剤２６が硬化するまで、支持具３０を保持しておく必要があった。
【０００５】
この発明は、上記した従来の欠点を解決するためになされたものであり、その目的とするところは、基礎床面に強固に接着固定することができ、しかも、位置合わせが容易で、かつ、位置ずれが起こりにくい、床構成材用支持具を提供することにある。
【課題を解決するための手段】
【０００６】
この発明に係る床構成材用支持具は、前記目的を達成するために、次の構成からなる。すなわち、
請求項１に記載の発明に係る床構成材用支持具は、建造物の基礎床面に接着固定されて、床構成材を支持する、支持具である。この支持具は、前記基礎床面に接着剤により固着される固着部と、前記床構成材を支持する支持部とを備える。ここで、前記固着部は、前記基礎床面と対面する固着部本体と、前記固着部本体とで前記基礎床面側に開口する凹部を形成するように、前記固着部本体から延設されて前記基礎床面に当接可能な延設部と、その固着部自身が前記基礎床面から離間するのを防止すべく、前記凹部内に設けられて、前記接着剤が硬化した接着剤硬化物と前記離間方向において掛かり合う掛合部とを備える。そして、前記固着部本体には、前記凹部内の空間に前記接着剤を充填すべく、外部から前記空間に通ずる接着剤充填口が設けられる。
【０００７】
この支持具によると、固着部を基礎床面に接着するにあたって、固着部本体から延設された延設部を基礎床面に当接させるようにして、固着部を基礎床面の所定位置に位置させる。そして、接着剤を、固着部本体に設けられた接着剤充填口から、固着部本体と延設部とで形成される凹部内の空間に充填する。ここで、固着部は、掛合部を備えており、この掛合部は、接着剤が硬化した接着剤硬化物と離間方向において掛かり合い、固着部が基礎床面から離間するのを防止する。
【０００８】
また、請求項２に記載の発明に係る床構成材用支持具のように、請求項１に記載の支持具において、前記延設部は、前記凹部の周囲全周を形成するように設けられてもよい。こうして、延設部を、凹部の周囲全周を形成するように設けることで、充填された接着剤が、凹部の周囲から漏れ出るのを防ぐことができる。
【０００９】
また、請求項３に記載の発明に係る床構成材用支持具のように、請求項１または２に記載の支持具において、前記固着部本体には、前記接着剤充填口とは別に、前記空間に充填された前記接着剤が前記空間からはみ出すのを許容する、孔が設けられてもよい。
【００１０】
また、請求項４に記載の発明に係る床構成材用支持具のように、請求項３に記載の支持具において、前記固着部は、前記固着部本体から前記凹部内に突出して前記基礎床面に当接可能な突出部を一つまたは複数備え、その突出部の少なくとも一つは、前記接着剤充填口から前記空間に充填される前記接着剤が前記孔を通るのを制限すべく、前記孔の近傍であって前記接着剤充填口側に形成されるのが望ましい。
【００１１】
また、請求項５に記載の発明に係る床構成材用支持具のように、請求項１ないし３のいずれか１項に記載の支持具において、前記固着部は、前記固着部本体から前記凹部内に突出して前記基礎床面に当接可能な突出部を備え、その突出部に、前記掛合部が設けられてもよい。
【００１２】
また、請求項６に記載の発明に係る床構成材用支持具のように、請求項１ないし４のいずれか１項に記載の支持具において、前記延設部に、前記空間側に突き出るようにして前記掛合部が設けられてもよい。
【００１３】
また、請求項７に記載の発明に係る床構成材用支持具のように、請求項１ないし６のいずれか１項に記載の支持具において、前記接着剤充填口は、前記空間の中央に通ずるように形成されるのが望ましい。こうして、接着剤充填口を、凹部内の空間の中央に通ずるように形成することで、接着剤を、この接着剤充填口から空間の全体に速やかに行き渡らせることができる。
【発明の効果】
【００１４】
この発明に係る床構成材用支持具によれば、接着剤硬化物と離間方向において掛かり合う掛合部によって、基礎床面からの固着部の離間が防止されるため、支持具を基礎床面に強固に接着固定することができる。しかも、この支持具は、接着剤を接着剤充填口から凹部内の空間に充填する前に、予め、固着部本体から延設された延設部を基礎床面に当接させるようにして、固着部を基礎床面の所定位置に位置させることができるため、位置合わせが容易で、かつ、位置ずれが起こりにくい。
【発明を実施するための最良の形態】
【００１５】
以下、この発明に係る床構成材用支持具を実施するための最良の形態を図面に基づいて説明する。
【００１６】
図１〜図７は、本発明の一実施の形態を示す。図中符号１は、建造物（すなわち、建築物とか構築物）の基礎床面である。２は、前記基礎床面１上の床を構成する床構成材である。３は、床構成材用支持具であって、前記基礎床面１に接着固定されて、床構成材２を支持する、支持具である。
【００１７】
支持具３は、基礎床面１に接着剤４により固着される固着部５と、床構成材２を支持する支持部６とを備える。ここで、固着部５は、基礎床面１と対面する固着部本体５ａと、その固着部本体５ａとで基礎床面１側に開口する凹部５ｂを形成するように、固着部本体５ａから延設されて基礎床面１に当接可能な延設部５ｃと、その固着部５自身が基礎床面１から離間するのを防止すべく、前記凹部５ｂ内に設けられて、接着剤４が硬化した接着剤硬化物４ａと離間方向（つまり、基礎床面１から離間する方向）において掛かり合う掛合部５ｆとを備える。そして、固着部本体５ａには、前記凹部５ｂ内の空間５ｄに接着剤４を充填すべく、外部から空間５ｄに通ずる接着剤充填口５ｅが設けられている。さらに、固着部本体５ａには、接着剤充填口５ｅとは別に、前記空間５ｄに充填された接着剤４が空間５ｄからはみ出すのを許容する、孔５ｇが設けられている。
【００１８】
また、固着部５は、固着部本体５ａから凹部５ｂ内に突出して基礎床面１に当接可能な突出部５ｈを備えている。そして、その突出部５ｈに、前記掛合部５ｆが設けられる。また、固着部５は、前記突出部５ｈを、一つまたは複数備えており、その突出部５ｈの少なくとも一つは、接着剤充填口５ｅから凹部５ｂ内の空間５ｄに充填される接着剤４が孔５ｇを通るのを制限すべく、孔５ｇの近傍であって接着剤充填口５ｅ側に形成される。
【００１９】
具体的には、床構成材２は、根太２ａからなる。つまり、支持具３によって支持された床構成材２としての根太２ａ上に、床板７が架け渡されるように載置されて、床が形成される（図７参照）。
【００２０】
支持具３は、例えば、合成樹脂により一体に形成されている。この支持具３は、前記固着部５と前記支持部６とが交互に並び、それら固着部５と支持部６とが繋ぎ部３ａによって長手方向に連続するように形成される。そして、支持具３の各端部には、連結部３ｂが設けられている。そして、一方の連結部３ｂには、第１係合部としての係合孔３ｃが設けられ、他方の連結部３ｂには、第２係合部としての係合突起３ｄが設けられている。そこで、複数の支持具３、３が長手方向に並べられた際には、隣り合う支持具３、３は、係合孔３ｃと係合突起３ｄとが係合するようにして連結部３ｂ、３ｂどうしが連結される。
【００２１】
固着部５においては、前記固着部本体５ａは、円形平板状に形成されている。そこで、前記延設部５ｃは、基礎床面１側に開口する前記凹部５ｂの周囲全周を形成するように設けられる。図示実施の形態においては、延設部５ｃは、固着部本体５ａの周縁に沿って全周に形成されている。接着剤充填口５ｅは、前記凹部５ｂ内の空間５ｄの中央に通ずるように、固着部本体５ａの中央において、その固着部本体５ａの表裏を貫通するようにして形成される。
【００２２】
また、前記孔５ｇは、固着部本体５ａにおいて、接着剤充填口５ｅを二重に囲むように、複数（図示実施の形態においては、接着剤充填口５ｅの中心を円の中心とする、径を異にする円周上にあって、内側に四つ、外側に八つ）設けられている。そこで、前記突出部５ｈは、これら孔５ｇと対をなすように設けられる。詳細には、接着剤充填口５ｅに近い側の突出部５ｈは、前述したように、接着剤充填口５ｅから空間５ｄに充填される接着剤４が孔５ｇを通るのを制限すべく、孔５ｇの近傍であって（詳しくは、孔５ｇと密接して）接着剤充填口５ｅ側に形成されている。一方、接着剤充填口５ｅから遠い側の突出部５ｈは、接着剤充填口５ｅを中心とする周方向に、孔５ｇと密接して並ぶように形成されている。また、掛合部５ｆは、各突出部５ｈから、孔５ｇと対面するように（図示実施の形態においては、孔５ｇとの間に間隙を空けて対面するように）突き出し形成されている（図４および図５参照）。
【００２３】
支持部６は、底板６ａと、その底板６ａから起立する一対の支持片６ｂ、６ｂとから構成される。そこで、根太２ａは、支持具３と直交する向きで、基礎床面１上に配備される。ここで、根太２ａには、嵌合凹部２０１が設けられており、この嵌合凹部２０１と、支持部６における一対の支持片６ｂ、６ｂとが嵌合し、こうして、根太２ａを支持部６が支持するようになっている。
【００２４】
次に、この実施の形態に示す支持具３の作用効果について説明する。この支持具３によると、固着部５を基礎床面１に接着するにあたって、固着部本体５ａから延設された延設部５ｃを基礎床面１に当接させるようにして、固着部５を基礎床面１の所定位置に位置させる。そして、接着剤４を、固着部本体５ａに設けられた接着剤充填口５ｅから、固着部本体５ａと延設部５ｃとで形成される凹部５ｂ内の空間５ｄに充填する。このとき、接着剤充填口５ｅは、空間５ｄの中央に通ずるように形成されており、接着剤４を、この接着剤充填口５ｅから空間５ｄの全体に速やかに行き渡らせることができる。特に、空間５ｄは、延設部５ｃによって円形に形成されているため、空間５ｄの中央に通ずる接着剤充填口５ｅから充填される接着剤４は、円形に広がり、これによって、接着剤４を、空間５ｄに均等に行き渡らせることができる。しかも、延設部５ｃが、凹部５ｂの周囲全周を形成するように設けられているため、充填された接着剤４が、凹部５ｂの周囲から漏れ出るのを防ぐことができる。
【００２５】
そして、固着部５は、固着部本体５ａから突出する突出部５ｈに設けられた掛合部５ｆを備えており、接着剤４が空間５ｄに充填されると、掛合部５ｆは、接着剤４が硬化した接着剤硬化物４ａと離間方向において掛かり合い、固着部５が基礎床面１から離間するのを防止する。そして、このように、接着剤硬化物４ａと離間方向において掛かり合う掛合部５ｆによって、基礎床面１からの固着部５の離間が防止されるため、支持具３を基礎床面１に強固に接着固定することができる。しかも、この支持具３は、接着剤４を接着剤充填口５ｅから凹部５ｂ内の空間５ｄに充填する前に、予め、固着部本体５ａから延設された延設部５ｃを基礎床面１に当接させるようにして、固着部５を基礎床面１の所定位置に位置させることができる。このため、この支持具３は、基礎床面１に対する位置合わせが容易で、かつ、位置ずれが起こりにくい。
【００２６】
また、固着部本体５ａには、接着剤充填口５ｅとは別に、孔５ｇが設けられている、このため、この孔５ｇを通して、接着剤４の充填状態を確認することができる。
【００２７】
また、固着部５において、接着剤充填口５ｅに近い側の孔５ｇの近傍には、接着剤充填口５ｅ側に、突出部５ｈが設けられている。したがって、接着剤充填口５ｅから空間５ｄに充填された接着剤４は、孔５ｇを通るのを制限され、接着剤４がその孔５ｇから外部に漏れ出るのを、防いだり遅らせたりすることができる。また、このことから、接着剤４が孔５ｇから外部に漏れ出る前に、接着剤４を、凹部５ｂの隅まで、すなわち、凹部５ｂ内の空間５ｄ全体にしっかりと充填することが可能となる。
【００２８】
また、固着部５を基礎床面１に接着するとき、延設部５ｃが基礎床面１に当接するだけでなく、突出部５ｈもまた基礎床面１に当接する。したがって、これら延設部５ｃと突出部５ｈとが協同して、固着部５が変形するの抑えることができる。
【００２９】
なお、本発明は、上述した実施の形態に限定されるわけではなく、その他種々の変更が可能である。例えば、延設部５ｃは、凹部５ｂの周囲全周を形成するように、固着部本体５ａの周縁に沿う全周に設けられているが、この延設部５ｃは、部分的に切欠かれていてもよい。
【００３０】
また、突出部５ｈは、孔５ｇと対応して設けられているが、孔５ｇと対応することなく設けられてもよい。また、孔５ｇは、無くともよい。
【００３１】
また、孔５ｇは、固着部本体５ａの例えば表側から貼られるシールテープによって、塞がれてもよい。特に、このシールテープが、透明あるいは半透明である場合には、このシールテープを通して、接着剤４の充填状態を確認することができる。
【００３２】
また、掛合部５ｆは、突出部５ｈに設けられているが、図８に示すように、掛合部５ｆは、延設部５ｃに、凹部５ｂの底面との間に間隙を空けて空間５ｄ側に突き出るように設けられてもよい。
【００３３】
また、このように、掛合部５ｆは、突出部５ｈとか延設部５ｃ等の部位から突き出るようにして、凹部５ｂ内に設けられるが、これら部位の一つに選択的に設けられる以外に、複数部位に設けられても構わない。
【００３４】
また、図９に示すように、掛合部５ｆに加えて、孔５ｇの周面が他の掛合部（すなわち、固着部５自身が基礎床面１から離間するのを防止すべく、接着剤４が硬化した接着剤硬化物４ａと離間方向において掛かり合う掛合部）を形成するよう、孔５ｇは、空間５ｄ側が外部側に比して径小に形成されてもよい。この図においては、孔５ｇは、空間５ｄ側ほど径を小さくするテーパー形状、詳細には、円錐台形状をしている。もっとも、孔５ｇは、テーパー形状をしなくとも、空間５ｄ側が外部側に比して径小となるように、段付形状をしていてもよい。
【００３５】
また、接着剤充填口５ｅは、空間５ｄの中央に通ずるように形成されなくとも、図１０に示すように、中央からずれた位置に通ずるように形成されてもよい。この図においては、床構成材２は、雄ねじが螺設された支持脚２ｂからなる。そして、支持具３によって支持された床構成材２としての支持脚２ｂに、受け部材８内のナット８ａが螺合し、その受け部材８を収容する根太９上に、床板１０が載置されて、床が形成される。ここにおいて、支持具３における支持部６は、固着部５の中央から筒状に上方に突出する筒部６ｃを備えている。そこで、支持脚２ｂは、筒部６ｃに挿入されて、その筒部６ｃに止めねじ６ｄによって取付固定される。
【図面の簡単な説明】
【００３６】
【図１】この発明の一実施の形態の、支持具の正面図である。
【図２】同じく、平面図である。
【図３】同じく、要部拡大底面図である。
【図４】同じく、図２におけるＡ−Ａ線による拡大断面図である。
【図５】同じく、図２におけるＢ−Ｂ線による拡大断面図である。
【図６】同じく、使用状態を示す拡大断面図である。
【図７】同じく、床の形成過程を示す斜視図である。
【図８】この発明の変形例を示す、図６相当図である。
【図９】この発明の他の変形例を示す、図６相当図である
【図１０】この発明の他の実施の形態の、使用状態を示す断面図である。
【図１１】従来の支持具の使用状態を示す断面図である。
【符号の説明】
【００３７】
１  基礎床面
２  床構成材
２ａ  根太（床構成材）
２ｂ  支持脚（床構成材）
３  支持具（床構成材用支持具）
４  接着剤
４ａ  接着剤硬化物
５  固着部
５ａ  固着部本体
５ｂ  凹部
５ｃ  延設部
５ｄ  空間
５ｅ  接着剤充填口
５ｆ  掛合部
５ｇ  孔
５ｈ  突出部
６  支持部
【図１】
2008174999.tif 000003
【図２】
2008174999.tif 000004
【図３】
2008174999.tif 000005
【図４】
2008174999.tif 000006
【図５】
2008174999.tif 000007
【図６】
2008174999.tif 000008
【図７】
2008174999.tif 000009
【図８】
2008174999.tif 000010
【図９】
2008174999.tif 000011
【図１０】
2008174999.tif 000012
【図１１】
2008174999.tif 000013